【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
液体噴射装置に装着可能な液体供給ユニットであって、
第１壁部と、
前記第１壁部に対向する第２壁部と、
前記第１壁部と前記第２壁部とに交差する第３壁部と、
前記第１壁部と前記第２壁部とに交差し、前記第３壁部と対向する第４壁部と、
前記液体噴射装置の電極部に電気的に接続可能に少なくとも１つの所定の配列方向に配列されている複数の接触部と、
前記複数の接触部が前記液体噴射装置から離れる動きを制限するように前記液体噴射装置の被係合部に係合可能な係合部と、
を備え、
前記複数の接触部は、前記配列方向において両端に位置する第１接触部と第２接触部とを含み、
前記係合部と、前記第１接触部と、前記第２接触部と、は前記第４壁部に位置しており、
前記係合部は、前記配列方向において前記第１接触部と前記第２接触部との間隔よりも広い幅を有している、液体供給ユニット。
【請求項２】
請求項１に記載の液体供給ユニットであって、
前記係合部は前記被係合部に当接可能な第１当接部と第２当接部とを有し、
前記配列方向における前記第１当接部と前記第２当接部との間隔は前記配列方向における前記第１接触部と前記第２接触部との間隔よりも広い、液体供給ユニット。
【請求項３】
請求項２記載の液体供給ユニットであって、
前記係合部において、前記第１当接部と前記第２当接部とは、前記配列方向において空間を隔てて配列されている、液体供給ユニット。
【請求項４】
請求項１から請求項３のいずれか一項に記載の液体供給ユニットであって、さらに、
前記液体噴射装置が前記液体供給ユニットの装着を検出するための第１検出端子及び第２検出端子を備え、
前記第１検出端子は、前記第１接触部を有し、
前記第２検出端子は、前記第２接触部を有している、液体供給ユニット。
【請求項５】
請求項４記載の液体供給ユニットであって、
記憶装置と、
前記液体噴射装置に電気的接続可能な第３接触部を有し、前記配列方向において前記第１検出端子と前記第２検出端子との間に位置し、前記記憶装置にデータを供給可能なデータ端子と、
前記液体噴射装置に電気的接続可能な第４接触部を有し、前記配列方向において前記第１検出端子と前記第２検出端子との間に位置し、前記記憶装置に高電位を供給可能な高電位端子と、
前記液体噴射装置に電気的接続可能な第５接触部を有し、前記配列方向において前記第１検出端子と前記第２検出端子との間に位置し、前記記憶装置に低電位を供給可能な低電位端子と、
を備える、液体供給ユニット。
【請求項６】
請求項１から請求項５のいずれか一項に記載の液体供給ユニットにおいて、
前記係合部は、前記第１壁部から前記第２壁部に向かう方向に前記被係合部と当接し、
前記第４壁部から前記第３壁部に向かう方向に前記液体供給ユニットを平面視したとき、前記第１接触部と前記第２接触部とは、前記係合部と前記第１壁部との間に位置する、液体供給ユニット。
【請求項７】
請求項６記載の液体供給ユニットであって、
前記係合部は、前記第３壁部から前記第４壁部に向かう方向に、前記第２壁部から延在している延在部を含む、液体供給ユニット。
【請求項８】
請求項１から請求項７のいずれか一項に記載の液体供給ユニットであって、
前記第１壁部と前記第２壁部と前記第３壁部と前記第４壁部とに交差する第５壁部と、
前記第１壁部と前記第２壁部と前記第３壁部と前記第４壁部とに交差し、前記第５壁部と対向する第６壁部と、
を備え、
前記第４壁部から前記第３壁部に向かう方向に前記液体供給ユニットを平面視したとき、
前記第５壁部から前記第１接触部までの距離より、前記第５壁部から前記係合部までの距離が短く、
前記第６壁部から前記第２接触部までの距離より、前記第６壁部から前記係合部までの距離が短い、液体供給ユニット。
【請求項９】
請求項８に記載の液体供給ユニットであって、
前記係合部は前記第５壁部から前記第６壁部に向かう方向に、第１部分と、切欠部と、第２部分と、を順に有し、
前記係合部は前記液体噴射装置に対し前記第１部分と前記第２部分とで当接可能である、液体供給ユニット。
【請求項１０】
請求項１から請求項９のいずれか一項に記載の液体供給ユニットであって、
前記係合部は、前記第２壁部から前記第１壁部に向かう方向に突出する第１凸部を有し、
前記第１凸部は、前記液体供給ユニットを前記液体噴射装置に装着する過程において、前記液体噴射装置の前記被係合部を前記係合部から離れる方向に押圧可能な第１押圧面を有し、
前記係合部は、前記液体供給ユニットを前記液体噴射装置に装着する過程において、前記第１押圧面が前記被係合部を押すことによって前記被係合部を前記係合部から離す方向に移動させた後、前記被係合部が前記係合部に近づく方向に移動したときに、前記被係合部に係合可能に構成されている、液体供給ユニット。
【請求項１１】
請求項１０に記載の液体供給ユニットであって、
前記係合部は、さらに、前記第２壁部から前記第１壁部に向かう方向に突出する第２凸部を有し、
前記第２凸部は、前記液体供給ユニットを前記液体噴射装置に装着する過程において、前記液体噴射装置の前記被係合部を前記係合部から離れる方向に押圧可能な第２押圧面を有し、
前記係合部は、前記第１押圧面と前記第２押圧面のうちの少なくとも一方が前記被係合部を押すことによって前記被係合部を前記係合部から離れる方向に移動させた後、前記被係合部が前記係合部に近づく方向に移動したときに、前記被係合部に係合可能に構成されており、
前記第４壁部から前記第３壁部に向かう方向に前記液体供給ユニットを平面視したときに、前記第１接触部と前記第２接触部とは、前記第１凸部と前記第２凸部との間に位置している、液体供給ユニット。
【請求項１２】
請求項１から請求項１１のいずれか一項に記載の液体供給ユニットであって、
前記第１壁部は前記液体噴射装置に液体を供給可能な液体供給口を有し、
前記第１壁部から前記第２壁部に向かう方向に前記液体供給ユニットを平面視したとき、
前記液体供給口の中心から前記係合部までの距離が、前記液体供給口の中心から前記第１接触部までの距離より長い、液体供給ユニット。
【請求項１３】
請求項１２に記載の液体供給ユニットであって、
前記第１壁部と前記第２壁部と前記第３壁部と前記第４壁部とに交差する第５壁部と、
前記第１壁部と前記第２壁部と前記第３壁部と前記第４壁部とに交差し、前記第５壁部と対向する第６壁部と、
を備え、
前記液体供給口は、前記第５壁部から前記第６壁部に向かう方向において、前記液体供給口の中心は、前記第１接触部と前記第２接触部との間に位置している、液体供給ユニット。
【請求項１４】
請求項１から請求項１３のいずれか一項に記載の液体供給ユニットであって、
前記第３壁部と前記液体噴射装置とが当接する箇所を支点として回転することによって装着可能に構成されている、液体供給ユニット。
【手続補正２】
【補正対象書類名】明細書
【補正対象項目名】０００９
【補正方法】変更
【補正の内容】
【０００９】
［２］上記形態の液体供給ユニットにおいて、前記係合部は前記被係合部に当接可能な第１当接部と第２当接部とを有し、前記配列方向における前記第１当接部と前記第２当接部との間隔は前記配列方向における前記第１接触部と前記第２接触部との間隔よりも広くて良い。この形態の液体供給ユニットによれば、配置間隔が広い第１と第２の当接部の被係合部に対する係止によって、第１接触部と第２接触部の配列方向が傾いた状態で液体噴射装置に装着されてしまうことが抑制される。
【手続補正３】
【補正対象書類名】明細書
【補正対象項目名】００１１
【補正方法】変更
【補正の内容】
【００１１】
［４］上記形態の液体供給ユニットは、さらに、前記液体噴射装置が前記液体供給ユニットの装着を検出するための第１検出端子及び第２検出端子を備えて良く、前記第１検出端子は前記第１接触部を有し、前記第２検出端子は前記第２接触部を有していて良い。この形態の液体供給ユニットによれば、液体噴射装置に対する液体供給ユニットの装着状態の検出精度が高められる。
【手続補正４】
【補正対象書類名】明細書
【補正対象項目名】００１２
【補正方法】変更
【補正の内容】
【００１２】
［５］上記形態の液体供給ユニットは、記憶装置と、前記液体噴射装置に電気的接続可能な第３接触部を有し、前記配列方向において前記第１検出端子と前記第２検出端子との間に位置し、前記記憶装置にデータを供給可能なデータ端子と、前記液体噴射装置に電気的接続可能な第４接触部を有し、前記配列方向において前記第１検出端子と前記第２検出端子との間に位置し、前記記憶装置に高電位を供給可能な高電位端子と、前記液体噴射装置に電気的接続可能な第５接触部を有し、前記配列方向において前記第１検出端子と前記第２検出端子との間に位置し、前記記憶装置に低電位を供給可能な低電位端子と、を備えて良い。この形態の液体供給ユニットによれば、各端子の接続性が高められるため、液体供給ユニットの記憶装置と液体噴射装置との間の通信品質が高められる。
【手続補正５】
【補正対象書類名】明細書
【補正対象項目名】００１３
【補正方法】変更
【補正の内容】
【００１３】
［６］上記形態の液体供給ユニットは、第１壁部と、前記第１壁部に対向する第２壁部と、前記第１壁部と前記第２壁部とに交差する第３壁部と、前記第１壁部と前記第２壁部とに交差し、前記第３壁部と対向する第４壁部と、を備えて良い。前記係合部と、前記第１接触部と、前記第２接触部と、は前記第４壁部に位置しており、前記係合部は、前記第２壁部から前記第１壁部に向かう方向に前記被係合部と当接し、前記第４壁部から前記第３壁部に向かう方向に前記液体供給ユニットを平面視したとき、前記第１接触部と前記第２接触部とは、前記係合部と前記第１壁部との間に位置して良い。この形態の液体供給ユニットによれば、第１と第２の接触部が、係合部によって押さえ込まれる位置にあるため、その電気的接続性が高められる。また、液体噴射装置に対する液体供給ユニットの固定性が高められる。
【手続補正６】
【補正対象書類名】明細書
【補正対象項目名】００１４
【補正方法】変更
【補正の内容】
【００１４】
［７］上記形態の液体供給ユニットにおいて、前記係合部は、前記第３壁部から前記第４壁部に向かう方向に、前記第２壁部から延在している延在部を含んで良い。この形態の液体供給ユニットによれば、液体噴射装置に対する液体供給ユニットの固定性が高められる。
【手続補正７】
【補正対象書類名】明細書
【補正対象項目名】００３１
【補正方法】変更
【補正の内容】
【００３１】
第１と第２のインクカートリッジ１００ａ，１００ｂはそれぞれ略直方体形状を有している。第１のインクカートリッジ１００ａの長さ（矢印Ｙの方向の長さ）と高さ（矢印Ｚの方向の長さ）は第２のインクカートリッジ１００ｂとほぼ同じである。ホルダー部２００は上方が開口している略直方体形状の箱体として構成されている。第１と第２のインクカートリッジ１００ａ，１００ｂは、長さと高さとがほぼ揃った状態でホルダー部２００の内部空間に並列に収容される。ホルダー部２００に装着されている状態において第１と第２のインクカートリッジ１００ａ，１００ｂの側面および底面はほぼ被覆され、上面全体は上方に露出している。
【手続補正８】
【補正対象書類名】明細書
【補正対象項目名】００５８
【補正方法】変更
【補正の内容】
【００５８】
第４壁部１０４（図１０，図１１）は主係合部１２０の形成位置が異なっている点以外は、第１のインクカートリッジ１００ａの第４壁部１０４とほぼ同じ構成を有している。主係合部１２０は第２壁部１０２と隣接する端部の中央より矢印Ｘの方向とは反対側の方向に寄った位置に形成されている。これによって、第１と第２のインクカートリッジ１００ａ，１００ｂがホルダー部２００に装着されたときに、それぞれの主係合部１２０が近接した位置に隣り合って配列される（図３）。第５壁部１０５（図１０，図１１）と第６壁部１０６（図１２）はそれぞれ、第１のインクカートリッジ１００ａの第５壁部１０５と第６壁部１０６とほぼ同じ構成を有している。
【手続補正９】
【補正対象書類名】明細書
【補正対象項目名】０１０２
【補正方法】変更
【補正の内容】
【０１０２】
C．第３実施形態：
図２５は本発明の第３実施形態としてのインクカートリッジ１００Ｂの側面を示す概略図である。第３実施形態のインクカートリッジ１００Ｂは、インク供給口１１０が第１壁部１０１に代えて第３壁部１０３に設けられている点以外は、第１実施形態の第１のインクカートリッジ１００ａとほぼ同じ構成を有している。第３実施形態のインクカートリッジ１００Ｂは、インク受入部２１１の形成位置が背面壁部２０３に変更されているホルダー部２００（図１４〜図１６）を介して印刷装置１０のキャリッジ２７（図２）に装着される。第３実施形態のインクカートリッジ１００Ｂであっても、第４壁部１０４に主係合部１２０および回路基板１３０が第１実施形態の第１のインクカートリッジ１００ａと同様に設けられているため、印刷装置１０に対する装着性が高められている。このように、第３実施形態のインクカートリッジ１００Ｂであっても、第１実施形態の第１と第２のインクカートリッジ１００ａ，１００ｂと同様な作用効果を奏する。
【手続補正１０】
【補正対象書類名】明細書
【補正対象項目名】０１０４
【補正方法】変更
【補正の内容】
【０１０４】
アダプター部３１０は、インク収容部３００を上方の開口部３１２から収容可能に構成されている外装容器である。アダプター部３１０は、第１実施形態の第１のインクカートリッジ１００ａの第１壁部１０１と第３壁部１０３と第４壁部１０４と第５壁部１０５と第６壁部１０６のそれぞれと同様な構成を有する壁部を有している。アダプター部３１０の底面の第１壁部１０１には第１実施形態の第１のインクカートリッジ１００ａと同様なインク供給口１１０が設けられている。第４壁部１０４には第１実施形態で説明したのと同様な主係合部１２０と回路基板１３０とが配置されている。
【手続補正１１】
【補正対象書類名】明細書
【補正対象項目名】０１０６
【補正方法】変更
【補正の内容】
【０１０６】
E．第５実施形態：
図２７は本発明の第５実施形態としての液体供給ユニット３３０の構成を示す概略図である。図２７では第１実施形態で説明した構成部と共通する構成部には同じ符号を付してある。第５実施形態の液体供給ユニット３３０は、第１実施形態で説明した印刷装置１０（図１，図２）に着脱可能に装着され、印刷装置１０のキャリッジ２７にインクを供給する。第５実施形態の液体供給ユニット３３０は、アダプター部３１０と、インク供給管３３１と、インク収容部３３２と、を備える。
【手続補正１２】
【補正対象書類名】明細書
【補正対象項目名】０１０７
【補正方法】変更
【補正の内容】
【０１０７】
アダプター部３１０は、第４実施形態で説明したアダプター部３１０と同じであり、正面の第４壁部１０４に主係合部１２０と回路基板１３０とが設けられ、底面の第１壁部１０１にインク供給口１１０が設けられている。インク収容部３３２は、内部にインクを収容するためのインク室を有する液体容器である。インク収容部３３２のインク室は、インク供給管３３１を介してアダプター部３１０のインク供給口１１０に接続されている。第５実施形態の液体供給ユニット３３０であっても、主係合部１２０によって、印刷装置１０に対する装着性が高められている。このように、第５実施形態の液体供給ユニット３３０であっても、第１実施形態の第１と第２のインクカートリッジ１００ａ，１００ｂと同様な作用効果を奏する。